(57)【要約】      （修正有）【課題】コンスタントレベルオイラーの油面と油面計の油面を、簡単な操作で、水平に保つことができるコンスタントレベルオイラー用補助金具を提供する。【解決手段】外側がネジ切りされたオイルパイプに沿って、回すことにより上下移動するためのネジ切りが内側に同じくされてなる、前記オイルパイプに螺入するためのネジ切り孔を有するリング状である。また、コンスタントレベルオイラーがボルトで一体的に固定されてなる。更に、前記コンスタントレベルオイラー用補助金具の直下に、内側が同じくネジ切りされた緩み止めナットが配置されてなる。【選択図】図６
0003211275.tif 000002
【実用新案登録請求の範囲】
【請求項１】
図５および図６に示すコンスタントレベルオイラー用補助金具。
【請求項２】
油面のレベルの調整を容易に行うことができる、請求項１に記載のコンスタントレベルオイラー用補助金具。
【請求項３】
周囲の振動によっても緩まない、請求項１または２に記載のコンスタントレベルオイラー用補助金具。
【請求項４】
軸受箱が傾いて取り付けられていても、コンスタントレベルオイラーの油面と油面計の油面を水平に保つことができる、請求項１〜３のいずれか１項に記載のコンスタントレベルオイラー用補助金具。
【考案の詳細な説明】
【技術分野】
【０００１】
本考案は、コンスタントレベルオイラーによる油面の調整が簡易かつ正確にできるコンスタントレベルオイラー用補助金具に関する。
【背景技術】
【０００２】
以下、背景技術を図を用いて説明する。
現在、セメント製造において、ロータリーキルンの排ガスは、電気集塵機を用いて集塵処理している。そして、電気集塵機の集塵効率を確保するには、排ガスの温度と湿度を管理する必要があるため、図１に示す高圧ポンプ１（一例）を用いて排ガス中に散水して、排ガスの温度と湿度を管理している。
この高圧ポンプ１に付属する、図２に示す軸受箱１５内の油量が所定のレベル以下になると、油が不足して軸受１１が焼損し易い。この焼損を防止するため、コンスタントレベルオイラー１３を設置して、軸受箱１５内の油量が所定のレベル以下になると、コンスタントレベルオイラー１３から軸受箱１５内に自動的に給油する対策を講じている。
具体的には、コンスタントレベルオイラー１において、図３に示す油面がＡ点より低くなると、右側に連結した軸受箱（図示せず。）内の空気が、Ａ点からコンスタントレベルオイラー１３内に流入し、コンスタントレベルオイラー１３内の油と空気が置換して、油面がＡ点の高さになるまで、コンスタントレベルオイラー１３内の油が軸受箱１５内に流入する。このようにして、コンスタントレベルオイラー１３からの給油により、軸受箱１５内の油量は常に一定に保たれ、軸受の焼損を防止している。
【０００３】
ところで、コンスタントレベルオイラー１３は、図４に示すように、油面の調整を容易にするため、回転可能なエルボ配管１６により軸受箱１５に連結しているが、このエルボ配管１６による連結は、また、高圧ポンプ１の整備時や運転時の振動によっても回転して移動し、コンスタントレベルオイラー１３の油面（Ａ点）が下がり、コンスタントレベルオイラー１３の油面は油面計１４の油面と比べ低くなることがある。
その結果、図２に示すようなコンスタントレベルオイラー１３の油面と油面計１４の油面の水平状態は失われ、軸受箱１５内の油が不足しても、コンスタントレベルオイラー１３から軸受箱１５内へ油は供給されず、軸受が焼損するまで軸受箱１５内の油の不足に気づかない状況になるおそれがある。
【考案の概要】
【考案が解決しようとする課題】
【０００４】
そこで、本考案は、このような状況にならないように、コンスタントレベルオイラーの油面と油面計の油面を、簡単な操作で、水平に保つことができる手段を提供することを目的とする。
【課題を解決するための手段】
【０００５】
本考案者は、前記目的を達成するため、種々の手段を検討した結果、特定の構造を有する金具をコンスタントレベルオイラーの下部に設置すれば、簡単な操作で、コンスタントレベルオイラーの油面と油面計の油面を、水平に保つことができることを見い出し、本考案を完成させた。すなわち、本考案は、下記の構成を有するコンスタントレベルオイラー用補助金具である。
【０００６】
［１］図５および図６に示すコンスタントレベルオイラー用補助金具。
［２］油面のレベルの調整を容易に行うことができる、前記［１］に記載のコンスタントレベルオイラー用補助金具。
［３］周囲の振動によっても緩まない、前記［１］または［２］に記載のコンスタントレベルオイラー用補助金具。
［４］軸受箱が傾いて取り付けられていても、コンスタントレベルオイラーの油面と油面計の油面を水平に保つことができる、前記［１］〜［３］のいずれかに記載のコンスタントレベルオイラー用補助金具。
【考案の効果】
【０００７】
本考案のコンスタントレベルオイラー用補助金具は、コンスタントレベルオイラーの油面と油面計の油面を、簡単な操作で、水平に保つことができるため、軸受箱内へ油が常に供給されて、軸受の焼損を防止することができる。
【図面の簡単な説明】
【０００８】
【図１】散水用高圧ポンプの正面図を示す図である。
【図２】散水用高圧ポンプの側面図を示す図である。
【図３】コンスタントレベルオイラーの概略図である。
【図４】コンスタントレベルオイラーが軸受箱に、エルボ配管で連結している状態を示す概略図である。
【図５】本考案のコンスタントレベルオイラー用補助金具（一例）の図面であり、左図は正面図、右図は断面図である。
【図６】本考案のコンスタントレベルオイラー用補助金具（一例）の写真である。
【図７】本考案のコンスタントレベルオイラー用補助金具を、コンスタントレベルオイラーに装着した状態を示す概略図である。
【考案を実施するための形態】
【０００９】
本考案は、前記のとおり、図５および図６に示すコンスタントレベルオイラー用補助金具である。以下、本考案を図５〜図７を用いて説明する。
図５〜図７に示すとおり、コンスタントレベルオイラー用補助金具１７の内側は、ネジ切りされている。そして、コンスタントレベルオイラー用補助金具１７を回すことにより、コンスタントレベルオイラー用補助金具１７は、ボルト１９で一体的に固定されたコンスタントレベルオイラー１３と共に、外側が同じくネジ切りされたオイルパイプ２０に沿って上下に移動して、油面の高さが調整できる。
また、コンスタントレベルオイラー用補助金具１７の直下に配置された、内側が同じくネジ切りされた緩み止めナット１８を締めれば、コンスタントレベルオイラー用補助金具１７と、その上にあるコンスタントレベルオイラー１３は動かなくなる。
以上、本考案のコンスタントレベルオイラー用補助金具の効果をまとめると、以下のとおりである。
（１）コンスタントレベルオイラーの油面と油面計の油面の調整は、簡単に行なえる。
（２）緩み止めナットを併用すると、周囲の振動に対しても、コンスタントレベルオイラーの固定状態は緩むことはない。
（３）軸受箱が傾いて取り付けられていても、コンスタントレベルオイラーの油面と油面計の油面を水平に保つことができる
【符号の説明】
【００１０】
１    散水用高圧ポンプ
１１  軸受
１２  モーター
１３  コンスタントレベルオイラー
１４  油面計
１５  軸受箱
１６  エルボ配管
１７  コンスタントレベルオイラー用補助金具
１８  緩み止めナット
１９  コンスタントレベルオイラーとコンスタントレベルオイラー用補助金具を固定するボルト
２０  オイルパイプ
【図１】
0003211275.tif 000003
【図２】
0003211275.tif 000004
【図３】
0003211275.tif 000005
【図４】
0003211275.tif 000006
【図５】
0003211275.tif 000007
【図６】
0003211275.tif 000008
【図７】
0003211275.tif 000009
【手続補正書】
【提出日】平成29年2月13日(2017.2.13)
【手続補正１】
【補正対象書類名】実用新案登録請求の範囲
【補正対象項目名】全文
【補正方法】変更
【補正の内容】
【実用新案登録請求の範囲】
【請求項１】
外側がネジ切りされたオイルパイプに沿って、回すことにより上下移動するためのネジ切りが内側に同じくされてなることを特徴とする、コンスタントレベルオイラー用補助金具。
【請求項２】
コンスタントレベルオイラーがボルトで一体的に固定されてなることを特徴とする、請求項１に記載のコンスタントレベルオイラー用補助金具。
【請求項３】
前記コンスタントレベルオイラー用補助金具の直下に、内側が同じくネジ切りされた緩み止めナットが配置されてなることを特徴とする、請求項１または２に記載のコンスタントレベルオイラー用補助金具。
【手続補正２】
【補正対象書類名】明細書
【補正対象項目名】０００６
【補正方法】変更
【補正の内容】
【０００６】
［１］外側がネジ切りされたオイルパイプに沿って、回すことにより上下移動するためのネジ切りが内側に同じくされてなることを特徴とする、コンスタントレベルオイラー用補助金具。
［２］コンスタントレベルオイラーがボルトで一体的に固定されてなることを特徴とする、前記［１］に記載のコンスタントレベルオイラー用補助金具。
［３］前記コンスタントレベルオイラー用補助金具の直下に、内側が同じくネジ切りされた緩み止めナットが配置されてなることを特徴とする、前記［１］または［２］に記載のコンスタントレベルオイラー用補助金具。
【手続補正書】
【提出日】平成29年4月19日(2017.4.19)
【手続補正１】
【補正対象書類名】実用新案登録請求の範囲
【補正対象項目名】全文
【補正方法】変更
【補正の内容】
【実用新案登録請求の範囲】
【請求項１】
外側がネジ切りされたオイルパイプに沿って、回すことにより上下移動するためのネジ切りが内側に同じくされてなる、前記オイルパイプに螺入するためのネジ切り孔を有するリング状であることを特徴とする、コンスタントレベルオイラー用補助金具。
【請求項２】
コンスタントレベルオイラーがボルトで一体的に固定されてなることを特徴とする、請求項１に記載のコンスタントレベルオイラー用補助金具。
【請求項３】
前記コンスタントレベルオイラー用補助金具の直下に、内側が同じくネジ切りされた緩み止めナットが配置されてなることを特徴とする、請求項１または２に記載のコンスタントレベルオイラー用補助金具。
【手続補正２】
【補正対象書類名】明細書
【補正対象項目名】０００６
【補正方法】変更
【補正の内容】
【０００６】
［１］外側がネジ切りされたオイルパイプに沿って、回すことにより上下移動するためのネジ切りが内側に同じくされてなる、前記オイルパイプに螺入するためのネジ切り孔を有するリング状であることを特徴とする、コンスタントレベルオイラー用補助金具。
［２］コンスタントレベルオイラーがボルトで一体的に固定されてなることを特徴とする、前記［１］に記載のコンスタントレベルオイラー用補助金具。
［３］前記コンスタントレベルオイラー用補助金具の直下に、内側が同じくネジ切りされた緩み止めナットが配置されてなることを特徴とする、前記［１］または［２］に記載のコンスタントレベルオイラー用補助金具。